(57)【特許請求の範囲】
【請求項１】
陽圧状態に保たれた通路の壁面に設置されており、通路内の空気が排出される流路となる排気口と、この排気口に上下に重合して連設され、自重により前記排気口を閉状態に保持すると共に通路内の陽圧上昇に伴って回動して排気口を開状態とし、空気の一定流方向のみに流路を開放すると共に空気流の逆流方向に対して流路を閉鎖する通気調節弁とを備えた防煙用逆流防止ダンパーにおいて、
前記通気調節弁が、回動軸を中心にした上下の重量バランスが取られており、前記回動軸を中心にして、通気窓を有する上片部と、下方に重合する別の通気調節弁上片部の通気窓を通して空気流が当たる下片部とを有していることを特徴とする防煙用逆流防止ダンパー。
【請求項２】
通気調節弁の回動軸を中心にした上下の重量バランスが３：７〜５：５（ただし、５：５は含まない）の割合に設けられていることを特徴とする請求項１記載の防煙用逆流防止ダンパー。
【請求項３】
下片部が断面アール状の羽根であることを特徴とする請求項１記載の防煙用逆流防止ダンパー。
【発明の詳細な説明】
【０００１】
【発明の属する技術分野】
本発明は防煙用逆流防止ダンパーに関する。詳細には、通気口内部の通気調節弁を空気の一定流方向のみに流路を開放すると共に逆流方向に対して流路を自動的に閉鎖し、陽圧状態となるように設けられた通路の陽圧を適正に確保し、扉のスムーズな開動を実現することができる防煙用逆流防止ダンパーに関する。
【０００２】
【従来の技術】
近年、大規模或いは高層の建築物など、避難に長時間を要することが予想される建築物の場合には、居室から出て避難階段へ至る避難経路上には、火災危険から守られた安全区域として避難通路が設けられ、避難安全性の向上が図られている。
【０００３】
ところが、通路内の煙を排煙することにより安全を確保する場合、避難通路内の圧力が負圧状態となることから、避難通路への扉を開いたときには火災室から通路内に煙が漏れ、安全な空間を確保できないことが生ずる可能性があった。
【０００４】
一方、通路内の圧力を高めることにより煙の侵入を防止した場合、避難通路の扉が陽圧側に開く場合、通路内の陽圧が過剰に高くなると、その圧力によって扉を開けることができないといった不具合を生じていた。
【０００５】
このような技術的課題を解決するため、本出願人は、先に出願した特開平５−２６９２１８号において、図５及び図６に示すような、陽圧状態に保たれた通路Ｓの壁面に設置されており、通路Ｓ内の空気が排出される流路となる排気口５と、この排気口５を構成する枠体４に上下に重合して連設され、自重により前記排気口５を閉状態に保持すると共に通路Ｓ内の陽圧上昇に伴って回動して排気口５を開状態とし、空気の一定流方向のみに流路を開放すると共に空気流の逆流方向に対して流路を閉鎖する通気調節弁２とを備えた防煙用逆流防止ダンパー１を提案している。
【０００６】
【発明が解決しようとする課題】
ところが、この防煙用逆流防止ダンパー１にあっては、排気口５を構成する枠体４に上下に重合して連設された各通気調節弁２の回動軸３が、当該通気調節弁２の上部分に位置しており、回動軸３を中心にした上下の重量バランスは、回動軸３下側の重量が圧倒的に大きくなっていたので、通気調節弁２は、高い圧力が作用しなければスムーズに回動して開かないようになっていた。
【０００７】
このため、通路Ｓ内の当該ダンパー１の各調節弁２に加わる圧力が一定ではなく、場所によって異なっているような場合（多くの場合、各調節弁２に加わる圧力は一定ではない）には、高い圧力が加わる通気調節弁２のみが開き、そこに通路Ｓ内の空気が集中して流れ込み、他の通気調節弁２は閉じたままという状態が起きることがあった。
【０００８】
また排気口５を構成する枠体４に上下に重合して連設された各通気調節弁２の中でも、各々の軸に働くモーメントが異なり、開き易いものと開き難いものとがある。通路Ｓ内の陽圧上昇に伴って、まず開き易い通気調節弁２が回動して開く。この場合も同じく、そこに通路Ｓ内の空気が集中して流れ込み、他の通気調節弁２は自重によって閉じたままという状態が起きることがあった。
【０００９】
また通気調節弁２は、高い圧力が作用しなければ回動して開かないようになっているので、一旦開いた通気調節弁２にあっても、高い圧力が作用しつづけなければ開放状態には置かれず、すぐに閉じてしまうことになる。このため、このような通気調節弁２の動作にバラツキが生じると、全体として通路Ｓ内の空気が十分に排気できず、通路Ｓ内の空気がスムーズに排気されにくい状態となってしまい、この結果、前述したような通路Ｓ内の陽圧により扉が開かないという不具合を生じる恐れもあった。
【００１０】
本発明は、このような課題に鑑みなされたものであり、僅かな圧力でも容易に開いて、通路内の空気を確実に排気することができる防煙用逆流防止ダンパーを提供することを目的とするものである。
【００１１】
【課題を解決するための手段】
上記目的を達成するため、請求項１記載の発明は、陽圧状態に保たれた通路の壁面に設置されており、通路内の空気が排出される流路となる排気口と、この排気口に上下に重合して連設され、自重により前記排気口を閉状態に保持すると共に通路内の陽圧上昇に伴って回動して排気口を開状態とし、空気の一定流方向のみに流路を開放すると共に空気流の逆流方向に対して流路を閉鎖する通気調節弁とを備えた防煙用逆流防止ダンパーにおいて、前記通気調節弁が、回動軸を中心にした上下の重量バランスが取られており、前記回動軸を中心にして、通気窓を有する上片部と、下方に重合する別の通気調節弁上片部の通気窓を通して空気流が当たる下片部とを有していることを特徴とする防煙用逆流防止ダンパーをその要旨とした。
【００１２】
請求項２記載の発明は、通気調節弁の回動軸を中心にした上下の重量バランスが３：７〜５：５（ただし、５：５は含まない）の割合に設けられていることを特徴とする防煙用逆流防止ダンパーをその要旨とした。
【００１３】
請求項３記載の発明は、下片部が断面アール状の羽根であることを特徴とする防煙用逆流防止ダンパーをその要旨とした。
【００１４】
【発明の実施の形態】
（作用）
請求項１記載の防煙用逆流防止ダンパーにあっては、通気調節弁の回動軸を中心にした上下の重量バランスが取られており、通路内の陽圧上昇に伴って通気調節弁は回動軸を中心に容易に回動して開くようになっている。また通気調節弁が一旦開いたならば、弁の重量バランスがとれていることと、弁が開いたことによって生じる空気流を弁が受けて揚力が発生することから、容易に閉じないようになる。
【００１５】
また、この防煙用逆流防止ダンパーにあっては、通常は排気口が同排気口に上下に重合して連設されている通気調節弁の自重によって閉状態に保持されている。通路内の陽圧が上昇した場合には、その圧力によって空気流が、下方に重合する別の通気調節弁上片部の通気窓を通して、回動軸の下方に設けた下片部に当たり、通気調節弁は回動軸を中心に回動して開き、各通気調節弁間には隙間ができ、この隙間を通って通路内の空気が排出されるようになっている。
【００１６】
請求項２記載の防煙用逆流防止ダンパーにあっては、通気調節弁の回動軸を中心にした上下の重量バランスが３：７〜５：５（ただし、５：５は含まない）の割合に設けられており、この僅かな重量差で、下片部が下方に重合する別の通気調節弁上片部に当接し、閉状態を保っている。そして、通路内の陽圧が上昇して、通気調節弁に作用する陽圧によるモーメントが通気調節弁の自重によるモーメントを上回る大きさとなったときに、通気調節弁が回動して開き、通路内の空気の排出がなされるようになっている。また通路内の陽圧によるモーメントが通気調節弁の自重によるモーメントを下回ることがない限り、通気調節弁は開かれたままにおかれるようになっている。
【００１７】
請求項３記載の防煙用逆流防止ダンパーにあっては、断面アール状の羽根である下片部が、下方に重合する別の通気調節弁上片部の通気窓を通して当たる空気流から揚力を捉えるようになっている。
【００１８】
以下、本発明の防煙用逆流防止ダンパーを図面に従って詳細に説明する。図５には居室Ｒから出て避難階段Ｕへ至る避難経路の一例が示されている。避難経路上には、火災危険から守られた安全区域として特別に避難通路Ｓが設けられている。この避難通路Ｓは火災時には０．５〜１０．０ｍｍＡｑの陽圧状態に保たれており、この圧力によって火災時に発生した煙は容易に通路内に侵入できないようになっている。この避難通路Ｓを構成する壁に本発明の防煙用逆流防止ダンパー１１が設置されている。
【００１９】
図１、図２、図３、図４及び図５に示すように、本発明の防煙用逆流防止ダンパー１１は避難通路Ｓ内の空気が排出される流路となる排気口１５と、この排気口１５を構成する枠体１４内に取り付けられた通気調節弁１２とを備えている。枠体１４は避難通路Ｓの壁面Ｗ内に埋設されており、枠体１４は壁面Ｗの厚みとほぼ同一の厚みを有している。この枠体１４によって避難通路Ｓと外部通路１６とを連通状態とする排気口１５が構成されている。又、枠体１４内部には複数の回動軸１３が高さ方向に所定間隔をおいて横設されており、これら各回動軸１３には各々通気調節弁１２が回動自在に取り付けられている。本実施例においては回動軸１３として、２ｍｍ径で４９０ｍｍの長さを有するステンレス製棒が用いられ、これが４７０ｍｍ×１０６４ｍｍの大きさの排気口１５内に、高さ方向に２８列で３８ｍｍの間隔をおいて横設されている。
【００２０】
各図面に示すように、通気調節弁１２は四角状に成形された金属板であり、本実施例においては、通気調節弁１２としてＳＥＣＣ（電気亜鉛メッキ鋼板、ＪＩＳ Ｇ３３１３）製で約４６６ｍｍ×約６８ｍｍ×０．６ｍｍの大きさのものを用いた。この通気調節弁１２の中央部分に位置する回動軸１３を中心として、その上方には通気窓１９を有する上片部１７が設けられ、下方には下片部１８が設けられていて、回動軸１３を中心にした上下の重量バランスが取られている。
【００２１】
本実施例に示す通気調節弁１２では、四角状の上片部１７に４５５ｍｍ×２０ｍｍの大きさの四角状の通気窓１９を設け、下片部１８を４６６ｍｍ×約４０ｍｍの大きさの断面アール状の羽根とし、上下の重量バランスを３：７〜５：５（ただし、５：５は含まない）の割合とした。尚、下片部１８は、空気流を逃がさず捉えるようにするため、断面アール状の羽根としたが、単なる板状であってもよい。
【００２２】
このように構成された通気調節弁１２が、図１及び図２に示すように、枠体１４に上方の通気調節弁１２の下片部１８が下方の通気調節弁１２の上片部１７に重合するように連設され、その自重により排気口１５を閉状態を保っている。そして、通路Ｓ内の陽圧が上昇すると、図３に矢印で示すように、下方に重合する別の通気調節弁１２の上片部１７の通気窓１９を通して、上方の通気調節弁１２の下片部１８に圧力が加わり、各通気調節弁１２は回動軸１３を中心に回動して開き、各通気調節弁１２間には隙間ができ、この隙間を通って通路Ｓ内の空気が排出されるようになっている。また通路Ｓ内の陽圧により通気調節弁に作用するモーメントが、通気調節弁の自重によるモーメントを下回る（上昇前の圧力に戻る）ことで、各通気調節弁１２が閉じられるようになっている。
【００２３】
尚、図３に点線で示すように、通気調節弁１２が一旦回動して開いたならば、通気調節弁１２の重量バランスがとれていることと、通気調節弁１２が開いたことによって生じる空気流を下片部の断面Ｒ状の羽根が受けて揚力が生じることから、通気調節弁１２は容易に閉じないようになる。
【００２４】
尚、通気調節弁１２の通気窓の大きさ、形状、下片部の大きさ、形状、上下の重量バランスの割合は自由であり、避難通路Ｓ内の陽圧に応じて適宜変更することができる。好ましくは避難通路Ｓ内の陽圧が２〜４ｍｍＡｑのときに通気調節弁１２が開き始め、４〜７ｍｍＡｑのときに全開となるように、排気口１５の大きさ及び通気調節弁１２の大きさ、重量バランスの割合を決定するとよい。
【００２５】
【発明の効果】
請求項１記載の防煙用逆流防止ダンパーにあっては、通気調節弁の回動軸を中心にした上下の重量バランスが取られており、通路内の陽圧上昇に伴って容易に回動して開くようになっている。また通気調節弁が一旦回動して開いたならば、通気調節弁の重量バランスが取れていることと、通気調節弁が開いたことによって生じる空気流を弁が受けて揚力が発生することから、容易に閉じることはない。
【００２６】
このため、このダンパーにあっては、排気口に上下に重合して連設された各通気調節弁の動作にバラツキが生じることがなく、通路内の空気がスムーズにかつ確実に排気され、通路内の陽圧により扉が開かないという不具合を生じる恐れもない。
【００２７】
また、この防煙用逆流防止ダンパーにあっては、通気調節弁の回動軸の下方に設けた下片部に、下方に位置する別の通気調節弁上片部が重合し、この通気窓を通して通路内の空気が、上方の通気調節弁の下片部に当たるようになっている。つまり、通路内の陽圧の上昇に伴って、当該ダンパーに作用する圧力（空気流）のほとんどが、各通気調節弁の下片部に作用する（当たる）ようになっているので、通路内の陽圧上昇に伴う各通気調節弁の回動はスムーズであり、確実な空気の排出ができる。
【００２８】
請求項２記載の防煙用逆流防止ダンパーにあっては、通気調節弁の回動軸を中心にした上下の重量バランスが３：７〜５：５（ただし、５：５は含まない）の割合に設けられており、この僅かな重量差で、下片部が下方に重合する別の通気調節弁上片部に当接し、閉状態を保っている。そして、通路内の陽圧が上昇して、通気調節弁に作用する陽圧によるモーメントが通気調節弁の自重によるモーメントを上回る大きさとなったときに、通気調節弁が回動して開き、通路内の空気の排出がなされるようになっている。また通路内の陽圧によるモーメントが通気調節弁の自重によるモーメントを下回ることがない限り、通気調節弁は開かれたままにおかれるようになっている。
【００２９】
このため、このダンパーにあっては、通路内の陽圧上昇に即応して各通気調節弁がスムーズにかつ確実に開閉するので、通路内への煙の侵入、陽圧で扉が開かないといった不具合の発生をより確実に防止できる。
【００３０】
請求項３記載の防煙用逆流防止ダンパーにあっては、断面アール状の羽根である下片部が、下方に重合する別の通気調節弁上片部の通気窓を通して当たる空気流を、逃さずに確実に捉えるようになっているので、通路内の陽圧上昇に伴う各通気調節弁の回動はよりスムーズであり、より確実な空気の排出ができる。
【図面の簡単な説明】
【図１】本発明の防煙用逆流防止ダンパーを示した正面図。
【図２】同じく側面図。
【図３】同じく要部拡大側面図。
【図４】同じく要部拡大正面図。
【図５】防煙用逆流防止ダンパーの設置位置を示した平面図。
【図６】従来の防煙用逆流防止ダンパーを示した要部拡大側面図。
【符号の説明】
１２ 通気調節弁
１３ 回動軸
１４ 枠体
１５ 排気口
１７ 通気調節弁上片部
１８ 通気調節弁下片部
１９ 通気窓
Ｓ 避難通路
【図１】
0003613645.tif 000002
【図２】
0003613645.tif 000003
【図３】
0003613645.tif 000004
【図４】
0003613645.tif 000005
【図５】
0003613645.tif 000006
【図６】
0003613645.tif 000007